(57)【要約】【課題】  ミシン目を跨ぐようにスプロケット穴切離し部に複数の認識マークを印刷でき、スプロケット穴に認識マークが掛からないようにする。【解決手段】  操作部により設定された画像印刷データの主走査方向のずれ量を設定する主走査方向画像印刷データ補正値設定レジスタと、操作部で設定された画像印刷データの副走査方向のずれ量を設定する副走査方向画像印刷データ補正値設定レジスタと、画像形成領域の上部ミシン目に対する認識マークの種類を格納する上部認識マーク選択レジスタと、画像形成領域の下部ミシン目に対する認識マークの種類を格納する下部認識マーク選択レジスタと、通常印刷かコピー印刷かを設定するモード設定レジスタと、連続記録紙のミシン目を認識するための用紙搬送同期カウンタと、スプロケット穴切離し部の印刷データを生成するスプロケット穴切離し部印刷データ生成部を設けて、ミシン目を跨ぐようにスプロケット穴切離し部に複数の認識マークを印刷でき、スプロケット穴に認識マークが掛からないようにする。【選択図】  図１
2010179597.tif 000002
【特許請求の範囲】
【請求項１】
ホストコンピュータから送信されるデータを受信するデータ受信部と、受信したデータの解析及びプリンタ制御装置部全体の制御を行うメイン制御部と、上記メイン制御部で解析されたデータを編集する編集処理部と、編集データを基にビットマップ形式の印刷ページデータに展開処理を行うページ展開部と、上記ビットマップ形式のデータに展開された印刷ページデータを格納するページメモリと、印刷ページデータをページメモリからラインバッファに格納するデータ転送制御部と、ラインバッファに格納されている印刷ページデータをプリンタに送信する印刷データ出力部と、画像印刷データを主走査方向及び副走査方向にずらす機能を有した操作部よりなるプリンタ制御装置において、
前記操作部により設定された画像印刷データの主走査方向のずれ量を設定する主走査方向画像印刷データ補正値設定レジスタと、前記操作部により設定された画像印刷データの副走査方向のずれ量を設定する副走査方向画像印刷データ補正値設定レジスタと、画像形成領域の上部ミシン目に対する認識マークの種類を格納するための上部認識マーク選択レジスタと、画像形成領域の下部ミシン目に対する認識マークの種類を格納するための下部認識マーク選択レジスタと、通常印刷かコピー印刷かを設定するモード設定レジスタと、連続記録紙のミシン目を認識するための用紙搬送同期カウンタと、スプロケット穴切離し部の印刷データを生成するスプロケット穴切離し部印刷データ生成部を設けることで、ミシン目の位置を認識するための専用な機構を設けず、操作部により画像印刷データを主走査方向及び副走査方向にずらした場合でも、ミシン目を跨ぐようにスプロケット穴切離し部に複数の認識マークを印刷できるようにすると共にスプロケット穴に認識マークが掛からないようにすることを特徴とするプリンタ制御装置。
【請求項２】
前記用紙搬送同期カウンタは、副走査方向画像印刷データ補正値設定レジスタの値によりカウントを開始するタイミングを変更し、連続記録紙のミシン目上でカウンタの値が用紙長の値になるように動作することを特徴とする請求項１記載のプリンタ制御装置。
【請求項３】
前記用紙搬送同期カウンタは、連続記録紙の搬送停止時もカウンタの値を保持することにより、印刷を再開した場合でも前頁の認識マークを継続して印刷することを特徴とする請求項１または２記載のプリンタ制御装置。
【請求項４】
前記下部認識マーク選択レジスタ及びモード設定レジスタの値は、連続印刷中、前記用紙搬送同期カウンタのリセットのタイミングで有効になることを特徴とする請求項１記載のプリンタ制御装置。
【請求項５】
前記上部認識マーク選択レジスタは、前記用紙搬送同期カウンタのリセットのタイミングでモード設定レジスタの値を元に、通常印刷時は前頁の下部認識マーク選択レジスタに設定されている値を格納し、コピー印刷時は前頁の上部認識マーク選択レジスタに設定されている値を格納することを特徴とする請求項１記載のプリンタ制御装置。
【発明の詳細な説明】
【技術分野】
【０００１】
本発明は、  各種プリンタ、複写機、ファクシミリ装置等の制御装置に関し、特にプリンタ制御装置における認識マーク生成方式に関する。
【背景技術】
【０００２】
印刷された大量の連続記録紙からなる印刷物の束に関し、印刷物の仕分けを容易にするため、連続記録紙のミシン目を跨ぐように認識マークを印刷することで、印刷された印刷物の中身を確認することなく、折り畳んだ状態でジョブの切れ目を認識する方法がある。
【０００３】
例えば特許文献１（特開平１０−４４５５２号公報）では、連続記録紙のサイズに対応する画像形成領域の境界を跨ぐように認識マークを生成し、生成された前記認識マークと画像印刷データを合成して印刷する方式が提案されている。
【０００４】
同様に特許文献２（特開平１−１２５２６５号公報）では、連続記録紙の山折りミシン目の位置を示す信号受取り、前記信号により山折りミシン目の位置を知り、山折りミシン目を跨ぐように長方形認識マークのパターンを印刷する方式が提案されている。
【０００５】
また、特許文献３（特開平２−５５１７４号公報）では無駄紙を失くすため、スプロケット穴切離し部に認識マークを印刷する方式が提案されている。
【発明の概要】
【発明が解決しようとする課題】
【０００６】
上記各公報に記載されている方式では、次のような課題がある。特許文献３に記載されている方式では、スプロケット穴切離し部に一種類の認識マークをジョブ開始ページから数ページに渡り印刷することにより、ジョブの切れ目を認識する方式であるが、認識マークが一種のため、１ページのジョブを印刷した場合、１ページのジョブの前後で認識マークが連続して印刷される。そのため、１ページのジョブの切れ目を認識することができない。
【０００７】
また、特許文献２に記載されている方式では、ミシン目の位置を認識するために専用の機構を設けなければならない。
【０００８】
さらに、特許文献１に記載されている方法では、操作部よりプレプリント紙対応のためのオペレータによる主走査方向及び副走査方向に画像印刷データをずらす機能を動作させた場合、画像印刷データと共に認識マークもずれ、ミシン目を跨ぐように認識マークを印刷することができない場合がある。
【０００９】
例えば、図６に示すように、Ｎページの画像形成領域１０２に対し下部のミシン目に印刷される下部認識マーク１０３と、（Ｎ＋１）ページの画像形成領域１０４に対し、上部のミシン目に印刷される上部認識マーク１０５をスプロケット穴切離し部１０１に印刷する場合、下部認識マーク１０３及び上部認識マーク１０５がスプロケット穴１００に掛かると印刷汚れが発生する。これを回避するため、下部認識マーク１０３及び上部認識マーク１０５の長さは、ミシン目〜スプロケット穴までの距離よりも小さいものとなる。ここで、図７に示すように、副走査の負の方向に前記下部認識マーク１０３及び上部認識マーク１０５の認識マーク長より大きい値Ｌだけずらした場合、ミシン目を跨ぐように下部認識マーク１０３及び上部認識マーク１０５を印刷することができない。また、下部認識マーク１０３または上部認識マーク１０５がスプロケット穴１００に掛かり、印刷汚れが発生するという課題がある。
【００１０】
本発明の目的は、ミシン目の位置を認識するための専用な機構を設けず、操作部よりオペレータが画像印刷データをずらした場合でも、ミシン目を跨ぐようにスプロケット穴切離し部に複数の認識マークを印刷できるようにすると共に、スプロケット穴に認識マークが掛からないようにすることができるプリンタ制御装置を提供することにある。
【課題を解決するための手段】
【００１１】
前記目的を達成するため、請求項１に記載の発明は、ホストコンピュータから送信されるデータを受信するデータ受信部と、受信したデータの解析及びプリンタ制御装置部全体の制御を行うメイン制御部と、上記メイン制御部で解析されたデータを編集する編集処理部と、編集データを基にビットマップ形式の印刷ページデータに展開処理を行うページ展開部と、上記ビットマップ形式のデータに展開された印刷ページデータを格納するページメモリと、印刷ページデータをページメモリからラインバッファに格納するデータ転送制御部と、ラインバッファに格納されている印刷ページデータをプリンタに送信する印刷データ出力部と、画像印刷データを主走査方向及び副走査方向にずらす機能を有した操作部よりなるプリンタ制御装置において、
前記操作部により設定された画像印刷データの主走査方向のずれ量を設定する主走査方向画像印刷データ補正値設定レジスタと、前記操作部により設定された画像印刷データの副走査方向のずれ量を設定する副走査方向画像印刷データ補正値設定レジスタと、画像形成領域の上部ミシン目に対する認識マークの種類を格納するための上部認識マーク選択レジスタと、画像形成領域の下部ミシン目に対する認識マークの種類を格納するための下部認識マーク選択レジスタと、通常印刷かコピー印刷かを設定するモード設定レジスタと、連続記録紙のミシン目を認識するための用紙搬送同期カウンタと、スプロケット穴切離し部の印刷データを生成するスプロケット穴切離し部印刷データ生成部を設けることで、ミシン目の位置を認識するための専用な機構を設けず、操作部により画像印刷データを主走査方向及び副走査方向にずらした場合でも、ミシン目を跨ぐようにスプロケット穴切離し部に複数の認識マークを印刷できるようにすると共にスプロケット穴に認識マークが掛からないようにすることを特徴とするものである。
【００１２】
請求項２に記載の発明は、請求項１記載のものにおいて、前記用紙搬送同期カウンタは、副走査方向画像印刷データ補正値設定レジスタの値によりカウントを開始するタイミングを変更し、連続記録紙のミシン目上でカウンタの値が用紙長の値になるように動作することを特徴とするものである。
【００１３】
請求項３に記載の発明は、請求項１または２記載のものにおいて、前記用紙搬送同期カウンタは、連続記録紙の搬送停止時もカウンタの値を保持することにより、印刷を再開した場合でも前頁の認識マークを継続して印刷することを特徴とするものである。
【００１４】
請求項４に記載の発明は、請求項１記載のものにおいて、前記下部認識マーク選択レジスタ及びモード設定レジスタの値は、連続印刷中、前記用紙搬送同期カウンタのリセットのタイミングで有効になることを特徴とするものである。
【００１５】
請求項５に記載の発明は、請求項１記載のものにおいて、前記上部認識マーク選択レジスタは、前記用紙搬送同期カウンタのリセットのタイミングでモード設定レジスタの値を元に、通常印刷時は前頁の下部認識マーク選択レジスタに設定されている値を格納し、コピー印刷時は前頁の上部認識マーク選択レジスタに設定されている値を格納することを特徴とするものである。
【発明の効果】
【００１６】
請求項１のプリンタ制御装置では、ミシン目の位置を認識するための専用な機構を設けず、操作部により画像印刷データを主走査方向及び副走査方向にずらした場合でも、ミシン目を跨ぐようにスプロケット穴切離し部に複数の認識マークを印刷できるようにすると共にスプロケット穴に認識マークが掛からないようにすることができる。
【００１７】
請求項２の用紙搬送同期カウンタでは、副走査方向画像印刷データ補正値設定レジスタの値によりカウントを開始するタイミングを変更し、連続記録紙のミシン目上でカウンタの値が用紙長の値になるように動作するので、ミシン目の位置を認識するための専用な機構を設けることなく、連続記録紙のミシン目を認識することができる。
【００１８】
請求項３の用紙搬送同期カウンタにおいては、連続記録紙の搬送停止時もカウンタの値を保持するので、印刷を再開した場合でも前頁の認識マークを継続して印刷することが可能になり、連続印刷時及び間欠印刷時でも同じ認識マークを印刷することができる。
【００１９】
請求項４の下部認識マーク選択レジスタ及びモード設定レジスタの値においては、連続印刷中、前記用紙搬送同期カウンタのリセットのタイミングで有効になるので、前頁の認識マーク印刷時に次頁の認識マークを印刷することを防ぎ、正しく認識マークを印刷することができる。
【００２０】
請求項５の上部認識マーク選択レジスタは、用紙搬送同期カウンタのリセットのタイミングでモード設定レジスタの値を元に、通常印刷時は前頁の下部認識マーク選択レジスタに設定されている値を格納し、コピー印刷時は前頁の上部認識マーク選択レジスタに設定されている値を格納しているので、主走査方向及び副走査方向共に正の方向に画像印刷データをずらす設定を行った場合でも、次頁の上部認識マークを印刷することができる。
【図面の簡単な説明】
【００２１】
【図１】本発明の実施例に係る認識マーク生成方式の全体の概略ブロック図である。
【図２】通常印刷時、主走査方向及び副走査方向共に負の方向に画像印刷データをずらす設定を行った場合の図である。
【図３】コピー印刷時、主走査方向及び副走査方向共に負の方向に画像印刷データをずらす設定を行った場合の図である。
【図４】通常印刷時、主走査方向及び副走査方向共に正の方向に画像印刷データをずらす設定を行った場合の図である。
【図５】コピー印刷時、主走査方向及び副走査方向共に正の方向に画像印刷データをずらす設定を行った場合の図である。
【図６】従来の技術により認識マークを印刷した場合の図である。
【図７】従来の技術に対し副走査方向に画像印刷データをずらす機能を動作させた場合の図である。
【発明を実施するための形態】
【００２２】
図１に、本発明の一実施例である認識マーク生成方式の全体概略ブロック図を示す。
【００２３】
最初に、オペレータが操作部９により主走査方向及び副走査方向に画像印刷データをずらす設定を行った場合、操作部９に設定された値を元にメイン制御部２がプリンタ内所定のアドレスに設定されている値を書き換えることにより、印刷データ出力部８から出力される画像印刷データの書き出し開始位置を変更する。
【００２４】
次に、ホストコンピュータから送信されるデータをデータ受信部１が受信後、メイン制御部２が受信したデータを解析し、編集処理部３に送信する。編集処理部３は、送信されたデータを展開処理のためのコマンド・パラメータに編集し、ページ展開部４に送信する。ページ展開部４は、上記コマンド・パラメータに従い、ビットマップ形式の画像印刷データをページメモリ５に展開処理を行う。ページメモリ５に１ページ分の画像印刷データが展開終了後、メイン制御部２は、ページメモリ５に展開された画像印刷データの先頭アドレス及び転送数をデータ転送制御部６に設定する。
【００２５】
また、メイン制御部２は連続記録紙の用紙幅と用紙長を用紙幅設定レジスタ１０及び用紙長設定レジスタ１１に、操作部９により設定された主走査方向及び副走査方向のずれ量を主走査方向画像印刷データ補正値設定レジスタ１２及び副走査方向画像印刷データ補正値設定レジスタ１３に設定すると共に、ホストコンピュータから送信されるデータに含まれているコマンドより画像形成領域上部のミシン目に対し印刷する上部認識マークの種類を上部認識マーク選択レジスタ１４に、画像形成領域下部のミシン目に対し印刷する下部認識マークの種類を下部認識マーク選択レジスタ１５に、また、通常印刷かコピー印刷かをモード設定レジスタ１６に設定する。メイン制御部２によるレジスタの設定後、データ転送制御部６は、転送開始アドレス及び転送数を基に、ページメモリ５からラインバッファ７に画像印刷データの転送を行う。ラインバッファ７に画像印刷データがある程度転送された後、印刷データ出力部８はプリンタからの画像印刷データ要求信号に同期してラインバッファ７から画像印刷データを読み出し、読み出した１ラインの画像印刷データをバイト単位でプリンタに送出する。
【００２６】
ここで、図２に示すように、通常印刷時、主走査方向及び副走査方向共に負の方向に画像印刷データを（−Ｘ、−Ｙ）ずらす設定を行った場合、プリンタからの画像印刷データ要求信号を受信すると、スプロケット穴切離し部画像印刷データ生成部２０より白データが生成され、バイト単位でプリンタに送出される。１バイト白データをプリンタに送出される毎に用紙幅カウンタ１７はカウントアップし、スプロケット穴切離し部の幅Ｎ分白データをプリンタに送出した後、前記ラインバッファ７から画像印刷データを読み出し、用紙幅設定レジスタ１０に設定されている値分プリンタに送出する。用紙幅設定レジスタ１０に設定されている値よりも、ラインバッファ７から読み出す画像印刷データの１ラインが大きい場合は、ラインバッファ７より画像印刷データを読み出すがプリンタへは送出しない。１ライン画像印刷データをプリンタに送出した後、用紙長カウンタ１８をカウントアップし、用紙長カウンタ１８が副走査方向画像印刷データ補正値設定レジスタ１３に設定されている値Ｙになるまで前記動作を繰り返し、用紙長カウンタ１８が副走査方向画像印刷データ補正値設定レジスタ１３に設定されている値Ｙになったならば、用紙搬送同期カウンタ１９をイネーブルする。
【００２７】
この状態で、プリンタからの画像印刷データ要求信号を受信するとスプロケット穴切離し部画像印刷データ生成部２０により（Ｎ１＋Ｘ）の白データが生成され、その後、上部認識マーク選択レジスタ１４に設定されている認識マークのパターンを生成してプリンタに送出する。スプロケット穴切離し部の幅Ｎ分白データ及び認識マークのパターンをプリンタに送出した後、前記ラインバッファ７から画像印刷データを読み出しプリンタに送出する。この時、認識マークの開始位置がＸ分ずれたために、画像印刷データと認識マークのパターンが重なる場合があり、重なる場合はＯＲ出力とする。前記認識マークのパターンの送出は、用紙搬送同期カウンタ１９が認識マーク長Ｍ２を示すまで同様に繰り返し、その後、用紙搬送同期カウンタ１９が（（Ｍ１−Ｍ２）−１）の値を示すまで、白データ及び画像印刷データを同様に繰り返し送出する。用紙搬送同期カウンタ１９が（（Ｍ１−Ｍ２）−１）の値になったならば、スプロケット穴切離し部画像印刷データ生成部２０により（Ｎ２＋Ｘ）の白データが生成され、下部認識マーク選択レジスタ１５に設定されている認識マークのパターンを生成し、その後、ラインバッファ７より画像印刷データを読み出しプリンタに送出する。
【００２８】
用紙搬送同期カウンタ１９がＭ１の値になるまで、上部認識マーク生成時と同様に繰り返し白データ、認識マークのパターン及び画像印刷データをプリンタに送出する。用紙搬送同期カウンタ１９がＭ１の値になった後は、用紙搬送同期カウンタ１９をイネーブル状態のまま用紙搬送同期カウンタ１９をリセットし、プリンタへ前記画像印刷データ送出中に設定された次頁の下部認識マーク選択レジスタ１５及びモード設定レジスタ１６の値を有効にする。次頁の上部認識マーク選択レジスタ１４の設定に関しては、通常印刷時、前頁の下部認識マークと同じパターンになるため、前記レジスタの値を有効にするタイミングで、前頁の下部認識マーク選択レジスタ１５の値を次頁の上部認識マーク選択レジスタ１４に格納する。この状態で、プリンタからの画像印刷データ要求信号を受信すると、前頁同様に、用紙搬送同期カウンタ１９の値が０〜（Ｍ２−１）の間は上部認識マークと画像印刷データを、用紙搬送同期カウンタ１９の値が（（Ｍ１−Ｍ２）−１）〜（Ｍ１−１）の間の時は下部認識マークと画像印刷データを、その他の時は白データと画像印刷データをプリンタに送出することになり、ミシン目を跨ぐようにミシン目上部に認識マーク長Ｍ２の下部認識マークを、ミシン目下部に認識マーク長Ｍ２の上部認識マークを印刷する。
【００２９】
また、間欠印刷時、用紙搬送同期カウンタ１９の値が（（Ｍ１−Ｍ２）−１）〜（Ｍ１−１）の間で下部認識マークの送付は停止するが、用紙搬送同期カウンタ１９はリセットせず、カウンタの値を保持した状態で待機するため、次頁の印刷を再開した際には、下部認識マークを継続して印刷することができる。用紙切れ及びＮＰＲＯ動作時のみソフトウェアにより、用紙搬送同期カウンタ１９のディスエーブル及びリセットを行う。
【００３０】
次に、図３に示すように、コピー印刷時、主走査方向及び副走査方向共に負の方向に画像印刷データを（−Ｘ、−Ｙ）ずらす設定を行った場合の動作について説明する。
【００３１】
第一頁印刷時は用紙搬送同期カウンタ１９がＭ１の値になるまでは通常印刷と同様な動作を行う。用紙搬送同期カウンタ１９がＭ１の値になった後は、用紙搬送同期カウンタ１９をイネーブル状態のまま用紙搬送同期カウンタ１９をリセットし、プリンタへ前記画像印刷データ送出中に設定された次頁の下部認識マーク選択レジスタ１５及びモード設定レジスタ１６の値を有効にする。次頁の上部認識マーク選択レジスタ１４の設定に関しては、コピー印刷時は前頁の上部認識マークと同じパターンになるため、前記レジスタの値を有効にするタイミングで、前頁の上部認識マーク選択レジスタ１４の値を次頁の上部認識マーク選択レジスタ１４に格納する。その後、通常印刷時と同様に次頁の認識マーク及び画像印刷データをプリンタに送出する。間欠印刷時においても、通常動作時と同様な動作を行う。
【００３２】
次に、図４に示すように、通常印刷時、主走査方向及び副走査方向共に正の方向に画像印刷データを（Ｘ，Ｙ）ずらす設定を行った場合の動作について説明する。
【００３３】
メイン制御部２により、副走査方向画像印刷データ補正値設定レジスタ１３に副走査の正の方向に（Ｘ，Ｙ）ずれる設定を行った場合、設定された時点で、用紙搬送同期カウンタ１９をイネーブルすると共に用紙搬送同期カウンタ１９の値を副走査方向画像印刷データ補正値設定レジスタ１３に設定されている値Ｙに変更する。
【００３４】
用紙搬送同期カウンタ１９の値が１〜（Ｍ２−１）の場合、プリンタからの画像印刷データ要求信号を受信すると、スプロケット穴切離し部画像印刷データ生成部２０より（Ｎ１−Ｘ）の白データが生成され、その後、上部認識マーク選択レジスタ１４に設定されている認識マークのパターンを生成してプリンタに送出し、スプロケット穴切離し部の幅Ｎ分白データ及び認識マークのパターンをプリンタに送出した後は、前記ラインバッファ７から画像印刷データを読み出しプリンタに送出する。その後の動作及び次頁における動作は、通常印刷時における主走査方向及び副走査方向共に負の方向に画像印刷データをずらす設定を行った場合と同様な動作を行う。また、間欠印刷時の動作については、印刷停止時、次頁の設定が無い状態で次頁の上部認識マークを印刷する必要があるが、用紙搬送同期カウンタ１９がＭ１の値になった後、通常印刷時、次頁の上部認識マーク選択レジスタ１４には前頁の下部認識マーク選択レジスタ１５の値が格納されるため、Ａに示す印刷が可能となり、Ａを印刷した後停止する。
【００３５】
印刷再開時は、副走査方向画像印刷データ補正値設定レジスタ１３に副走査の正の方向にずれる設定がされている場合、設定された下部認識マーク選択レジスタ１５及びモード設定レジスタ１６の値を有効にして動作を開始する。その後の動作は通常印刷時における主走査方向及び副走査方向共に負の方向に画像印刷データをずらす設定を行った場合と同様な動作を行う。
【００３６】
次に、図５に示すように、コピー印刷時、主走査方向及び副走査方向共に正の方向に画像印刷データを（Ｘ，Ｙ）ずらす設定を行った場合の動作について説明する。
【００３７】
第一頁印刷時は用紙搬送同期カウンタ１９がＭ１の値になるまでは、通常印刷時主走査方向及び副走査方向共に正の方向に画像印刷データをずらす設定を行った場合と同様な動作を行う。用紙搬送同期カウンタ１９がＭ１の値になった後は、用紙搬送同期カウンタ１９をイネーブル状態のまま用紙搬送同期カウンタ１９をリセットし、プリンタへ前記画像印刷データ送出中に設定された次頁の下部認識マーク選択レジスタ１５及びモード設定レジスタ１６の値を有効にする。次頁の上部認識マーク選択レジスタ１４の設定に関しては、コピー印刷時は前頁の上部認識マークと同じパターンになるため、前記レジスタの値を有効にするタイミングで、前頁の上部認識マーク選択レジスタ１４の値を次頁の上部認識マーク選択レジスタ１４に格納する。その後、通常印刷時主走査方向及び副走査方向共に正の方向に画像印刷データをずらす設定を行った場合と同様に次頁の認識マーク及び画像印刷データをプリンタに送出する。間欠印刷時においても、通常動作時主走査方向及び副走査方向共に正の方向に画像印刷データをずらす設定を行った場合と同様な動作を行う。
【００３８】
本発明により、ミシン目の位置を認識するための専用な機構を設けず、画像印刷データをずらした場合でも、ミシン目を跨ぐようにスプロケット穴切離し部に複数の認識マークを印刷できるようにすると共にスプロケット穴に認識マークが掛からないようにすることが可能となり、前記目的が達成できる。
【符号の説明】
【００３９】
１・・・データ受信部、２・・・メイン制御部、３・・・編集処理部、４・・・ページ展開部、５・・・ページメモリ、６・・・データ転送制御部、７・・・ラインバッファ、８・・・印刷データ出力部、９・・・操作部、１０・・・用紙幅設定レジスタ、１１・・・用紙長設定レジスタ、１２・・・主走査方向画像データ補正値設定レジスタ、１３・・・副走査方向画像データ補正値設定レジスタ、１４・・・上部認識マーク選択レジスタ、１５・・・下部認識マーク選択レジスタ、１６・・・モード設定レジスタ、１７・・・用紙幅カウンタ、１８・・・用紙長カウンタ、１９・・・用紙搬送同期カウンタ、２０・・・スプロケット穴切離し部印刷データ生成部。
【先行技術文献】
【特許文献】
【００４０】
【特許文献１】特開平１０−４４５５２号公報
【特許文献２】特開平１−１２５２６５号公報
【特許文献３】特開平２−５５１７４号公報
【図１】
2010179597.tif 000003
【図２】
2010179597.tif 000004
【図３】
2010179597.tif 000005
【図４】
2010179597.tif 000006
【図５】
2010179597.tif 000007
【図６】
2010179597.tif 000008
【図７】
2010179597.tif 000009